(57)【要約】【課題】遊技の邪魔にならないように情報表示板を遊技中における遊技者の目の高さに設けることを可能とし、遊技者が情報表示板に書かれた情報を容易に把握し、遊技者の遊技への集中化を図る。【解決手段】情報表示装置２では透過性プレート２６の前面に関連情報２７の書かれた情報表示板２５が遊技盤１５の遊技領域に設けられたセンター部品１７とサイド部品１８とに跨って取り付けられ、情報表示板２５の裏面と遊技盤１５との間が球の通過可能な隙間として形成されており、情報表示装置３では透過性プレート３６の前面に関連情報３７の書かれた情報表示板３５が遊技盤１５の遊技領域に設けられた釘２１に取り付けられ、情報表示板３５と遊技盤１５との間が球の通過可能な隙間として形成されている。関連情報３７として例えばパチンコ店のその日の営業目標から狙い目などの文字であれば、遊技性が向上する。【選択図】        図１
2004180745.tif 000002
【特許請求の範囲】
【請求項１】
透過性プレートにパチンコ機の関連情報の書かれた情報表示板が遊技盤の遊技領域に設けられた複数の部品に跨って取り付けられるとともに、情報表示板と遊技盤との間が球の通過可能な隙間として形成されたことを特徴とするパチンコ機の情報表示装置。
【請求項２】
透過性プレートにパチンコ機の関連情報の書かれた情報表示板が遊技盤の遊技領域に設けられた釘の頭部に取り付けられるとともに、釘の周りの情報表示板と遊技盤との間が球の通過可能な隙間として形成されたことを特徴とするパチンコ機の情報表示装置。
【請求項３】
情報表示板の部品への取付具としてピンを用いるとともに、部品にピンの刺せる部分を設けたことを特徴とする請求項１または請求項２記載のパチンコ機の情報表示装置。
【発明の詳細な説明】
【０００１】
【発明の属する技術分野】
本発明はパチンコ機の取り扱い方、遊技の仕方、広告などのパチンコ機に関する関連情報を表示する装置に関する。
【０００２】
【従来の技術】
従来のパチンコ機の情報表示装置には三角形の情報表示板を遊技盤の前面を覆うガラスのような２重となった透過性パネルの間に挿入し、その情報表示板の上部を一方のガラスの上縁部に取り付けることで、情報表示板が遊技の邪魔にならないようにしたものが知られている（例えば、特許文献１参照）。
【０００３】
【特許文献１】
登録実用新案第３０３２５１４号公報（第１頁、要約、図１）
【０００４】
【発明が解決しようとする課題】
しかしながら、従来例は情報表示板が遊技の邪魔をしないように遊技盤における遊技領域外でパチンコ機の上部に配置されるため、遊技者がパチンコ店の椅子に着座して遊技をする場合、情報表示板が遊技者の目の高さよりもかなり上方となり、遊技者は遊技をしながら情報表示板に書かれた文字、数字、絵柄などの関連情報を把握しづらく、遊技に集中できないという問題点があった。また、情報表示板が遊技盤の遊技領域外である右隅に設けられることも知られているけれども、情報表示板が椅子に着座して遊技を行う遊技者の目の高さよりもかなり下方となり、この場合も上記と同様な不都合があった。
【０００５】
そこで、本発明は、遊技の邪魔にならないように情報表示板を遊技中における遊技者の目の高さに設けることが可能で、遊技者が情報表示板に書かれた関連情報を容易に把握して遊技に集中することができるパチンコ機の情報表示装置を提供するものである。
【０００６】
【課題を解決するための手段】
本発明にあっては、透過性プレートにパチンコ機の関連情報の書かれた情報表示板が遊技盤の遊技領域に設けられた複数の部品に跨って取り付けられるとともに、情報表示板と遊技盤との間が球の通過可能な隙間として形成されるか、または、透過性プレートにパチンコ機の関連情報の書かれた情報表示板が遊技盤の遊技領域に設けられた釘の頭部に取り付けられるとともに、釘の周りの情報表示板と遊技盤との間が球の通過可能な隙間として形成されたことによって、情報表示板が透過性プレートに関連情報の書かれた形態であることから、遊技者が情報表示板と遊技盤との間の隙間を通過する球を見ることができ、情報表示板が遊技の邪魔になることはなく、情報表示板を遊技中における遊技者の目線となる高さに設けることで、遊技者が情報表示板に書かれた関連情報を容易に把握して遊技に集中することができる。また、本発明にあっては、情報表示板の部品への取付具としてピンを用いるとともに、部品にピンの刺せる部分を設ければ、ピンを抜き差しすることで、情報表示板を容易に交換することができる。
【０００７】
【発明の実施の形態】
図１は一実施形態に係るパチンコ機１の情報表示装置２；３であって、ａ図はパチンコ機１の正面を示し、ｂ図は情報表示装置２の断面を示し、ｃ図は情報表示装置３の断面を示す。
【０００８】
ａ図において、パチンコ機１は遊技機枠５の前面に透過性パネル６、表示灯部品７、報知部品８、受皿９、発射操作機構１０を備え、内部に図外の発射機構や遊技盤１５を備える。遊技盤１５は前面である意匠盤面のガイドレール１６で囲まれた内側の遊技領域にセンター部品１７、サイド部品１８、風車１９、入賞部品２０、障害釘や遊技釘と呼ばれる多数本の釘２１、複数の情報表示装置２；３を備える。遊技機枠５の裏側又は遊技盤１５の裏側に設けられた図外の制御装置が電力供給で起動し、球が受皿９に入れられた状態において、遊技者が発射操作機構１０を操作すると、球発射機構が受皿９から供給された球を１個ずつ遊技盤１５の遊技領域に向けて発射し、その発射された球が遊技領域を飛び交う過程で入賞部品２０に入賞すると、パチンコ機１の裏側から賞球としての球が受皿９に払い出される。
【０００９】
ｂ図において、情報表示装置２の情報表示板２５は合成樹脂からなる透過性プレート２６の前面にパチンコ機１に関する取り扱い方、遊技の仕方、広告などの関連情報２７を表す文字、数字、絵柄などが印刷された形態であって、情報表示板２５の一端部がセンター部品１７における縁部の前面に重ね合わされ、取付具としてのピン２８が情報表示板２５に形成された貫通孔２９からセンター部品１７に形成されたピン差込部３０に刺し込まれる一方、情報表示板２５の他端部がサイド部品１８における縁部の前面に重ね合わされ、取付具としてのピン２８が情報表示板２５に形成された貫通孔３１からサイド部品１８に形成されたピン差込部３２に刺し込まれたことで、情報表示板２５がセンター部品１７とサイド部品１８とに跨って取り付けられる。このセンター部品１７とサイド部品１８とに跨って取り付けられた情報表示板２５の裏面と遊技盤１５との間は仮想線で示す球Ｐの通過可能な隙間として形成される。
【００１０】
ｃ図において、情報表示装置３の情報表示板３５は合成樹脂からなる透過性プレート３６の前面にパチンコ機１に関する取り扱い方、遊技の仕方、広告などの関連情報３７を表す文字、数字、絵柄などが印刷された形態であって、情報表示板３５がセンター部品１７の周囲に配置された釘２１における頭部の前面に重ね合わされ、取付具としてのピン３８が情報表示板３５に形成された貫通孔３９から釘２１に形成されたピン差込部４０に刺し込まれたことで、情報表示板３５が釘２１に跨って取り付けられる。この釘２１に取り付けられた情報表示板３５の釘２１から横方向に突出した裏面と遊技盤１５との間は仮想線で示す球Ｐの通過可能な隙間として形成される。
【００１１】
本実施形態によれば、情報表示装置２では透過性プレート２６の前面に関連情報２７の書かれた情報表示板２５が遊技盤１５の遊技領域に設けられたセンター部品１７とサイド部品１８とに跨って取り付けられ、情報表示板２５の裏面と遊技盤１５との間が球Ｐの通過可能な隙間として形成されており、情報表示装置３では透過性プレート３６の前面に関連情報３７の書かれた情報表示板３５が遊技盤１５の遊技領域に設けられた釘２１に取り付けられ、情報表示板３５と遊技盤１５との間が球Ｐの通過可能な隙間として形成されている。このため、遊技者が情報表示板２５；３５と遊技盤１５との間の隙間を通過する球を見ることができ、情報表示板２５；３５が遊技の邪魔になることもなく、情報表示板２５；３５がセンター部品１７の周囲である遊技中における遊技者の目の高さに設けられているので、遊技者が情報表示板２５；３５に書かれた関連情報２７；３７を容易に把握して遊技に集中することができる。
【００１２】
また、情報表示板２５；３５がピン２８；３８でセンター部品１７のピン差込部３０、サイド部品１８のピン差込部３２、釘２１のピン差込部４０を用い取り付けられているので、ピン２８；３８を抜き差しすることで、情報表示板２５；３５を容易に交換することができる。また、関連情報２７；３７が情報表示板２５；３５の前面に設けられているので、関連情報２７；３７が球で擦過傷を受けることなく読み易い形態に保たれる。また、関連情報３７として例えばパチンコ店のその日の営業目標から狙い目などの文字であれば、遊技性が向上する。
【図面の簡単な説明】
【図１】一実施形態に係るパチンコ機の情報表示装置であって、ａ図はパチンコ機の正面図、ｂ図は１つの情報表示装置の断面図、ｃ図はもう１つの情報表示装置の断面図。
【符号の説明】
１  パチンコ機
２  情報表示装置
３  情報表示装置
２５  情報表示板
２６  透過性プレート
２７  関連情報
２８  ピン
３５  情報表示板
３６  透過性プレート
３７  関連情報
３８  ピン
【図１】
2004180745.tif 000003